(57)【要約】【課題】簡易な構成で、右利き用及び左利き用の両方に適用可能な携帯電子機器を実現する。【解決手段】携帯電子機器本体７と、サイドキー（機能キー／ボタン）１０、１１、１２を搭載し、携帯電子機器本体７の外面に、選択に応じて、右利き用の取付け態様、又は、左右反転の左利き用の取付け態様で外付けされるサイドキーパネル（機能キー／ボタン付き外装部品）８とを備え、サイドキーパネル８は、右利き用の取付け態様で装着されるときは、サイドキー１０、１１、１２の接点端子が、携帯電子機器本体７の対応する右利き用の接点端子に電気接続又は機械当接され、一方、左利き用の取付け態様で装着されるときは、サイドキー１０、１１、１２の接点端子が、携帯電子機器本体７の対応する左利き用の接点端子に電気接続又は機械当接されている。【選択図】図３
2010268413.tif 000002
【特許請求の範囲】
【請求項１】
携帯電子機器本体と、
少なくとも1つの機能キー／ボタンを搭載し、前記携帯電子機器本体の外面に、選択に応じて、右利き用の取付け態様、又は、左利き用の取付け態様で外付けされる機能キー／ボタン付き外装部品とを備え、
前記携帯電子機器本体の前記外面には、少なくとも一組の右利き用の接点端子及び左利き用の接点端子が設けられ、
前記機能キー／ボタン付き外装部品は、前記右利き用の取付け態様が採用されているときは、前記機能キー／ボタンの接点端子が、前記携帯電子機器本体の対応する前記右利き用の接点端子に電気接続又は機械当接され、一方、前記左利き用の取付け態様が採用されているときは、前記機能キー／ボタンの接点端子が、前記携帯電子機器本体の対応する前記左利き用の接点端子に電気接続又は機械当接されていることを特徴とする携帯電子機器。
【請求項２】
前記機能キー／ボタン付き外装部品は、前記携帯電子機器本体に着脱自在に取着され、ユーザの選択に応じて、前記右利き用の取付け態様から左利き用の取付け態様に、あるいは、前記左利き用の取付け態様から右利き用の取付け態様に取着変更できる構成になされていることを特徴とする請求項１記載の携帯電子機器。
【請求項３】
前記機能キー／ボタン付き外装部品は、少なくとも1つの機能キー／ボタンを備える第１のプレートと、該第１のプレートと所定の離隔状態で相対向する第２のプレートと、これら第１及び第２のプレートをこれらの端部間で結合する第３のプレートとから、断面コ字状に形成され、選択に応じて、右利き用の取付け態様、又は、左利き用の取付け態様で、前記第１のプレートと前記第２のプレートとで、前記携帯電子機器本体を狭着する構成になされていることを特徴とする請求項１又は２記載の携帯電子機器。
【請求項４】
前記第２のプレートにも、少なくとも1つの機能キー／ボタンが設けられていることを特徴とする請求項３記載の携帯電子機器。
【請求項５】
前記右利き用の取付け態様と左利き用の取付け態様とは、前記機能キー／ボタン付き外装部品が互いに左右反転又は上下反転された関係にあることを特徴とする請求項１、２又は３記載の携帯電子機器。
【請求項６】
前記機能キー／ボタンは、右利き用及び左利き用の両方に適用可能なサイドキーであることを特徴とする請求項１、２、３又は４記載の携帯電子機器。
【請求項７】
前記機能キー／ボタンは、右利き用及び左利き用の両方に適用可能なシャッタボタン又は／及びズームキーであることを特徴とする請求項１、２、３又は４記載の携帯電子機器。
【請求項８】
前記携帯電子機器が携帯電話機であることを特徴とする請求項１乃至７の何れか１に記載の携帯電子機器。
【請求項９】
前記携帯電子機器がデジタルカメラであることを特徴とする請求項１乃至７の何れか１に記載の携帯電子機器。
【請求項１０】
請求項１乃至９の何れか１に記載の携帯電子機器を構成する機能キー／ボタン付き外装部品。
【請求項１１】
請求項１乃至９の何れか１に記載の携帯電子機器を構成する携帯電子機器本体。
【請求項１２】
携帯電子機器本体の外面に、少なくとも一組の右利き用の接点端子及び左利き用の接点端子を設けると共に、
少なくとも1つの機能キー／ボタンを搭載し、前記携帯電子機器本体の外面に、選択に応じて、右利き用の取付け態様、又は、左利き用の取付け態様で外付けできる機能キー／ボタン付き外装部品を形成し、
右利き用の携帯電子機器を組立てる際には、前記右利き用の取付け態様を採用して、前記サイドキーの接点端子を前記携帯電子機器本体の対応する右利き用の接点端子に電気接続又は機械当接する一方、左利き用の携帯電子機器を組立てる際には、前記左利き用の取付け態様が採用されているときは、前記サイドキーの接点端子を前記携帯電子機器本体の対応する左利き用の接点端子に電気接続又は機械当接することを特徴とする携帯電子機器の組立て方法。
【請求項１３】
前記機能キー／ボタン付き外装部品は、少なくとも1つの機能キー／ボタンを備える第１のプレートと、該第１のプレートと所定の離隔状態で相対向する第２のプレートと、これら第１及び第２のプレートをこれらの端部間で結合する第３のプレートとから、断面コ字状に形成され、選択に応じて、右利き用の取付け態様、又は、左利き用の取付け態様で、前記第１のプレートと前記第２のプレートとで、前記携帯電子機器本体を狭着することで、前記サイドキーの接点端子を前記携帯電子機器本体の対応する右利き用の接点端子又は左利き用の接点端子に電気接続又は機械当接することを特徴とする請求項１２記載の携帯電子機器の組立て方法。
【請求項１４】
前記第２のプレートにも、少なくとも1つの機能キー／ボタンが設けられていることを特徴とする請求項１３記載の携帯電子機器の組立て方法。
【請求項１５】
前記右利き用の取付け態様と左利き用の取付け態様とは、前記機能キー／ボタン付き外装部品が互いに左右反転又は上下反転された関係にあることを特徴とする請求項１２又は１３記載の携帯電子機器の組立て方法。
【発明の詳細な説明】
【技術分野】
【０００１】
この発明は、携帯電子機器、その組立て方法、機能キー／ボタン付き外装部品及び携帯電子機器本体に係り、詳しくは、右利き用及び左利き用の両方に適用可能な携帯電子機器、その組立て方法、機能キー／ボタン付き外装部品及び携帯電子機器本体に関する。
【背景技術】
【０００２】
携帯電話機等の電子機器は、片手で保持した状態で、保持した側の指で操作するものであるため、サイドキーは機能上大変有用である。図６は、従来の携帯電話機１の構成を概略示す斜視図であり、この種の携帯電話機１には、サイドキーとして、例えば、ＵＰキー２と、ＤＯＷＮキー３と、決定キー４とが設けられている。ここで、上記ＵＰキー２は、メニュー画面５上のカーソルを上方へ移動させて、上位の項目を選択するために用いられ、上記ＤＯＷＮキー３は、カーソルを下方へ移動させて、下位の項目を選択するために用いられるキーである。また、上記決定キー４は、ＵＰキー２やＤＯＷＮキー３を押下して選択した項目を決定するために用いられる。
【０００３】
ところで、従来の携帯電子機器１では、同図に示すように、右手親指の位置に決定キー４が配置され、右手人差し指の位置にＵＰキー２が配置され、右手中指の位置にＤＯＷＮキー３が配置される構成であった。このため、右利きのユーザにとっては、大変使い勝手の良いサイドキー構成ではあっても、左利きのユーザにとって、また、右手が不自由なため、左手使用を余儀なくされるユーザにとって、従来のサイドキー構成は、必ずしも使い勝手の良いものではなかった。
【先行技術文献】
【特許文献】
【０００４】
【特許文献１】特開２００３−３２４５１２号公報
【特許文献２】特開２００３−０９９１７８号公報
【発明の概要】
【発明が解決しようとする課題】
【０００５】
特許文献１には、左手操作用のサイドキーと、右手操作用のサイドキーとの両方を備える携帯電話機が記載されている。しかしながら、特許文献１に記載の携帯電話機は、ユーザが両手を操作して高速に文字入力できるように、左手操作用のサイドキーと右手操作用のサイドキーとが共に同一側面側（操作時には、上側面側）に設けられる構成となっており、左利きのユーザの使い勝手に配慮したものではない。
【０００６】
また、特許文献２に記載の携帯電話機は、補助キーボード入力装置を操作者が右利きであるか左利きであるかに拘わらず容易に操作できるように、表裏両面に各種キーを備える補助キーボード入力装置を備えている。この構成において、右利きの操作者が操作するときには、携帯電話機の右側に補助キーボード入力装置を装着して表側の各種キーを使用し、左利きの操作者が操作するときには、携帯電話機の左側に補助キーボード入力装置を装着して裏側の各種キーを使用する。しかしながら、特許文献２の構成では、右利きのユーザにとって裏側の左利き用各種キーは無用であり、一方、左利きのユーザにとって表側の右利き用各種キーは無用であるので、不経済であり、冗長構成でもある。ここで、補助キーボード入力装置を真似て、右利き用のサイドキーと左利き用とのサイドキーとの両方を携帯電話機の左右の側面に設置することが考えられる。しかしながら、このような構成にすれば、上記補助キーボード入力装置と同様の不都合が生じるので好ましくない。加えて、機能の向上化に伴い、右利き用と左利き用の両方の各種サイドキーを重複増設しようとすれば、携帯電話機の側面スペースに限りがあるため、設計自由度が損なわれ、不都合である。
【０００７】
この発明は、上述の事情に鑑みてなされたもので、簡易な構成で、右利き用及び左利き用の両方に適用可能な携帯電子機器、その組立て方法、機能キー／ボタン付き外装部品及び携帯電子機器本体を提供することを目的としている。
【課題を解決するための手段】
【０００８】
上記課題を解決するために、この発明の第１の構成は、携帯電子機器に係り、携帯電子機器本体と、少なくとも1つの機能キー／ボタンを搭載し、上記携帯電子機器本体の外面に、選択に応じて、右利き用の取付け態様、又は、左利き用の取付け態様で外付けされる機能キー／ボタン付き外装部品とを備え、上記携帯電子機器本体の上記外面には、少なくとも一組の右利き用の接点端子及び左利き用の接点端子が設けられ、上記機能キー／ボタン付き外装部品は、上記右利き用の取付け態様が採用されているときは、上記機能キー／ボタンの接点端子が、上記携帯電子機器本体の対応する上記右利き用の接点端子に電気接続又は機械当接され、一方、上記左利き用の取付け態様が採用されているときは、上記機能キー／ボタンの接点端子が、上記携帯電子機器本体の対応する上記左利き用の接点端子に電気接続又は機械当接されていることを特徴としている。
【０００９】
また、この発明の第２の構成は、携帯電子機器の組立て方法に係り、携帯電子機器本体の外面に、少なくとも一組の右利き用の接点端子及び左利き用の接点端子を設けると共に、少なくとも1つの機能キー／ボタンを搭載し、上記携帯電子機器本体の外面に、選択に応じて、右利き用の取付け態様、又は、左利き用の取付け態様で外付けできる機能キー／ボタン付き外装部品を形成し、右利き用の携帯電子機器を組立てる際には、上記右利き用の取付け態様を採用して、上記サイドキーの接点端子を上記携帯電子機器本体の対応する右利き用の接点端子に電気接続又は機械当接する一方、左利き用の携帯電子機器を組立てる際には、上記左利き用の取付け態様が採用されているときは、上記サイドキーの接点端子を上記携帯電子機器本体の対応する左利き用の接点端子に電気接続又は機械当接することを特徴としている。
【発明の効果】
【００１０】
この発明の構成によれば、同一構成の機能キー／ボタン付き外装部品の取付け態様を変えるだけの簡単な操作で、右利きユーザ用途の携帯電子機器でも、左利きユーザ用途の携帯電子機器でも、低コストで自在に得ることができる。また、機能キー／ボタン付き外装部品を携帯電子機器本体から着脱自在な構成とすれば、ユーザ等の選択により、右利きのユーザ用途から左利きのユーザ用途に、あるいは、左利きのユーザ用途から右利きのユーザ用途に、簡易に変更することができる。それゆえ、右利きのユーザのみならず、左利きのユーザにとっても、また、右手が不自由なため、左手使用を余儀なくされるユーザにとっても、機能キー／ボタンの操作が容易となる。
【図面の簡単な説明】
【００１１】
【図１】この発明の第１の実施形態である携帯電話機を構成する携帯電子機器本体と、サイドキーパネルとを分解して示す分解斜視図である。
【図２】同サイドキーパネルが同携帯電子機器本体に取着されている様子を示す斜視図、詳細には、同図（ａ）は、同サイドキーパネルが右利き用の取付け態様で取着されている様子を示す図、また、同図（ｂ）は、同サイドキーパネルが左利き用の取付け態様で取着されている様子を示す図である。
【図３】サイドキーを備える同携帯電話機の外観構成を示す斜視図であり、詳細には、同図（ａ）は、右利き用の携帯電話機の外観構成を示す図、また、同図（ｂ）は、左利き用の携帯電話機の外観構成を示す図である。
【図４】この発明の第２の実施形態である携帯電話機を構成する携帯電子機器本体と、サイドキーパネルとを分解して示す分解斜視図である。
【図５】この発明の第３の実施形態であるデジタルカメラの外観構成を示す斜視図であり、詳細には、同図（ａ）は、右利き用のデジタルカメラの外観構成を示す図、また、同図（ｂ）は、左利き用のデジタルカメラの外観構成を示す図である。
【図６】従来の携帯電話機の構成を概略示す斜視図、詳しくは、従来の右利き優位のサイドキー配置構成を示す図である。
【発明を実施するための形態】
【００１２】
この発明の好適な実施形態として、サイドキーパネル（機能キー／ボタン付き外装部品）が、少なくとも1つのサイドキー（機能キー／ボタン）を備える第１のプレートと、該第１のプレートと所定の離隔状態で相対向する第２のプレートと、これら第１及び第２のプレートをこれらの端部間で結合する第３のプレートとから、断面コ字状に形成され、選択に応じて、右利き用の取付け態様、又は、左利き用の取付け態様で、上記第１のプレートと上記第２のプレートとが、上記携帯電話機本体（携帯電子機器本体）に狭着される構成とすることで、この発明の目的を実現した。
【００１３】
なお、第２のプレートにも、少なくとも1つの機能キー／ボタンが設けられていても良い。ここで、上記右利き用の取付け態様と左利き用の取付け態様とは、上記サイドキーパネル（機能キー／ボタン付き外装部品）が互いに左右反転又は上下反転された関係と定義される。
【００１４】
上記サイドキーパネル（機能キー／ボタン付き外装部品）は、好ましくは、上記携帯電話機本体（携帯電子機器本体）に着脱自在に装着され、ユーザの選択に応じて、上記右利き用の取付け態様から左利き用の取付け態様に、あるいは、上記左利き用の取付け態様から右利き用の取付け態様に装着変更できる構成になされている。
【実施形態１】
【００１５】
以下、図面を参照して、この発明の実施形態について詳細に説明する。
図１は、この発明の第１の実施形態である携帯電話機を構成する携帯電子機器本体と、サイドキーパネルとを分解して示す分解斜視図、図２は、同サイドキーパネルが同携帯電子機器本体に取着されている様子を示す斜視図、詳細には、同図（ａ）は、同サイドキーパネルが右利き用の取付け態様で取着されている様子を示す図、また、同図（ｂ）は、同サイドキーパネルが左利き用の取付け態様で取着されている様子を示す図、また、図３は、サイドキーを備える同携帯電話機の外観構成を示す斜視図であり、詳細には、同図（ａ）は、右利き用の携帯電話機の外観構成を示す図、また、同図（ｂ）は、左利き用の携帯電話機の外観構成を示す図である。
【００１６】
この実施形態の携帯電話機６Ａ、６Ｂは、ストレート式の携帯電話機に係り、図１乃至図３に示すように、携帯電子機器本体７と、該携帯電子機器本体７の外面に、選択に応じて、右利き用の取付け態様（図２（ａ）、図３（ａ））、又は、左利き用の取付け態様（図２（ｂ）、図３（ｂ））で外付けされるサイドキーパネル８とから概略構成されている。
【００１７】
まず、上記サイドキーパネル８は、図１に示すように、第１の側面プレート８ａと、該第１の側面プレート８ａと所定の離隔状態で相対向する第２の側面プレート８ｂと、これら第１及び第２の側面プレート８ａ、８ｂをこれらの端部間で結合する上面プレート８ｃとから、断面コ字状に一体成形されて断面コ字部９を形成する。ここで、断面コ字部９には、携帯電話機本体７が挿入されて、第１の側面プレート８ａと第２の側面プレート８ｂとで、携帯電話機本体７を狭着することにより、サイドキーパネル８が携帯電話機本体７に着脱自在に装着される構成となっている。
【００１８】
第１の側面プレート８ａの外側（断面コ字部９の外側の面）には、サイドキーとして、例えば、人差し指操作用のＵＰキー１０と、中指操作用のＤＯＷＮキー１１とが実装搭載されている。また、上記第１の側面プレート８ａの内側（断面コ字部９の内側の面）には、ＵＰキー１０の接点端子１０ａと、ＤＯＷＮキー１１の接点端子１１ａとが露出されている。また、第２の側面プレート８ｂの外側（断面コ字部９の外側の面）には、サイドキーとして、例えば、親指操作用の決定キー１２が実装搭載されている。また、第２の側面プレート８ｂの内側（断面コ字部９の内側の面）には、決定キー１２の接点端子１２ａが露出されている。
ここで、上記ＵＰキー１０は、携帯電子機器本体７のメニュー画面１３上のカーソルを上方へ移動させて、上位の項目を選択するために用いられ、上記ＤＯＷＮキー１１は、カーソルを下方へ移動させて、下位の項目を選択するために用いられるキーである。また、上記決定キー１２は、ＵＰキー１０やＤＯＷＮキー１１を押下して選択した項目を決定するために用いられる。サイドキーパネル８の内部には、図示せぬダイアフラム構成のキースイッチが埋設されている。
【００１９】
次に、携帯電子機器本体７の左右の側面には、図１に示すように、例えば、３組の右利き用の接点端子１０Ｒ、１１Ｒ、１２Ｒ及び左利き用の接点端子１０Ｌ、１１Ｌ、１２Ｌが設けられている。右利き用の接点端子は、右利き用の取付け態様でサイドキーパネル８が装着される構成では、ＵＰキー１０の接点端子１０ａと電気接続するための第１の接点端子１０Ｒと、ＤＯＷＮキー１１の接点端子１１ａと電気接続するための第２の接点端子１１Ｒと、決定キー１２の接点端子１２ａと電気接続するための第３の接点端子１２Ｒとからなっている。
【００２０】
一方、左利き用の接点端子は、左利きの取付け態様でサイドキーパネル８が装着される構成では、ＵＰキー１０の接点端子１０ａと電気接続するための第４の接点端子１０Ｌと、ＤＯＷＮキー１１の接点端子１１ａと電気接続するための第５の接点端子１１Ｌと、決定キー１２の接点端子１２ａと電気接続するための第６の接点端子１２Ｌとからなっている。携帯電子機器本体７の左側面には、図１（ｃ）に示すように、図中、上から順に、第６の接点端子１２Ｌ、第１の接点端子１０Ｒ、第２の接点端子１１Ｒが設けられていて、また、携帯電子機器本体７の右側面には、図中、上から順に、第３の接点端子１２Ｒ、第４の接点端子１０Ｌ、第５の接点端子１１Ｌが設けられている。
【００２１】
次に、図２及び図３を参照して第１の実施形態の動作について説明する。
まず、右利き用の携帯電話機を組立てる際には、図２（ａ）に示す右利き用の取付け態様が採用される。すなわち、断面コ字部９を、第１の側面プレート８ａが図中左側に配置され、第２の側面プレート８ｂが図中右側に配置される向きとし、この状態で、サイドキーパネル８の断面コ字部９に携帯電話機本体７を挿入して、第１の側面プレート８ａと第２の側面プレート８ｂとで、携帯電話機本体７を狭着することにより、サイドキーパネル８を携帯電話機本体７に着脱自在に装着する。このようにして、図３（ａ）に示す右利き用の携帯電話機６Ａが完成する。右利き用の取付け態様では、ＵＰキー１０の接点端子１０ａと第１の接点端子１０Ｒとが電気接続され、ＤＯＷＮキー１１の接点端子１１ａと第２の接点端子１１Ｒとが電気接続され、また、決定キー１２の接点端子１２ａと第３の接点端子１２Ｒとが電気接続される構成となる。
このとき、第６の接点端子１２Ｌは、第１の側面プレート８ａに被覆されて外部から見えない状態とされ、また、第４の接点端子１０Ｌ、第５の接点端子１１Ｌは第２の側面プレート８ｂに被覆されて外部から見えない状態とされている。
【００２２】
このように完成した右利き用の携帯電話機６Ａは、図３（ａ）に示すように、決定キー１２が右手の親指で、ＵＰキー１０が右手の人差し指で、ＤＯＷＮキー１１が右手の中指で操作し易い構造となる。
【００２３】
次に、左利き用の携帯電話機を組立てる際には、図２（ｂ）に示す左利き用の取付け態様が採用される。すなわち、断面コ字部９を、第１の側面プレート８ａが図中右側に配置され、第２の側面プレート８ｂが図中左側に配置される向きとし、この状態で、サイドキーパネル８の断面コ字部９に、携帯電話機本体７を挿入して、第１の側面プレート８ａと第２の側面プレート８ｂとで、携帯電話機本体７を狭着することにより、サイドキーパネル８を携帯電話機本体７に着脱自在に装着する。このようにして、図３（ｂ）に示す左利き用の携帯電話機６Ａが完成する。左利き用の取付け態様では、ＵＰキー１０の接点端子１０ａと第４の接点端子１０Ｌとが電気接続され、ＤＯＷＮキー１１の接点端子１１ａと第５の接点端子１１Ｌとが電気接続され、また、決定キー１２の接点端子１２ａと第６の接点端子１２Ｌとが電気接続される構成となる。このとき、第３の接点端子１２Ｒは、第１の側面プレート８ａに被覆されて外部から見えない状態とされ、また、第１の接点端子１０Ｒ及び第２の接点端子１１Ｒは、第２の側面プレート８ｂに被覆されて外部から見えない状態とされている。
【００２４】
このように完成した左利き用の携帯電話機６Ｂは、図３（ｂ）に示すように、決定キー１２が左手の親指で、ＵＰキー１０が左手の人差し指で、ＤＯＷＮキー１１が左手の中指で操作し易い構造となる。
ここで、図３（ａ）、（ｂ）から明らかな通り、右利き用の取付け態様と左利き用の取付け態様とは、サイドキーパネル８が互いに左右反転された関係にある。
【００２５】
このように、この実施形態の構成によれば、同一構成のサイドキーパネル８の取付け態様を変えるだけの簡単な操作で、右利きユーザ用途の携帯電話機６Ａでも、左利きユーザ用途の携帯電話機６Ｂでも、低コストで自在に得ることができる。また、サイドキーパネル８は着脱自在な構成であるので、ユーザ自身の選択により、右利きのユーザ用途から左利きのユーザ用途に、あるいは、左利きのユーザ用途から右利きのユーザ用途に、簡易に変更することができる。それゆえ、右利きのユーザのみならず、左利きのユーザにとっても、また、右手が不自由なため、左手使用を余儀なくされるユーザにとっても、各種サイドキー１０、１１、１２の操作が容易となる。
【実施形態２】
【００２６】
図４は、この発明の第２の実施形態である携帯電話機を構成する携帯電子機器本体と、サイドキーパネルとを分解して示す分解斜視図である。
上述の第１の実施形態では、図１に示すように、サイドキーパネル８に搭載の各種サイドキー１０、１１、１２の接点端子１０ａ、１１ａ、１２ａを携帯電子機器本体７の対応する右利き用の接点端子１０Ｒ、１１Ｒ、１２Ｒ又は左利き用の接点端子１０Ｌ、１１Ｌ、１２Ｌに電気接続するようにした。しかしながら、この第２の実施形態では、電気接続を廃して、図４に示すように、サイドキーパネル１４に搭載の各種サイドキー１５、１６、１７の接点端子１５ａ、１６ａ、１７ａを携帯電子機器本体１８の対応する右利き用の接点端子１９Ｒ、２０Ｒ、２１Ｒ又は左利き用の接点端子１９Ｌ、２０Ｌ、２１Ｌに機械当接するようにした点で、上述の第１の実施形態と著しく相違している。
【００２７】
この実施構成では、図示せぬダイアフラム構成のキースイッチが携帯電子機器本体１８内に設けられている。サイドキーパネル１４に搭載のサイドキー１５、１６、１７が押下されると、携帯電子機器本体１８の対応する右利き用の接点端子１９Ｒ、２０Ｒ、２１Ｒ又は左利き用の接点端子１９Ｌ、２０Ｌ、２１Ｌが押し下げられ、ダイアフラムを凹ませて、スイッチオンの状態となる。
このように、この実施形態によっても、上述の第１の実施形態で述べたと略同様の効果を得ることができる。
【実施形態３】
【００２８】
図５は、この発明の第３の実施形態であるデジタルカメラの外観構成を示す斜視図であり、詳細には、同図（ａ）は、右利き用のデジタルカメラの外観構成を示す図、また、同図（ｂ）は、左利き用のデジタルカメラの外観構成を示す図である。
【００２９】
この実施形態が、上述の第１及び第２の実施形態と著しく相違しているのは、この発明を形態電話機に代えて、デジタルカメラに適用するようにした点である。
この実施形態のデジタルカメラ２２Ａ、２２Ｂは、シャッタボタン２３を備える断面コ字型のシャッタボタンパネル２４と、ズームキー２５を備える断面コ字型のズームキーパネル２６とを有して構成されている。
【００３０】
シャッタボタンパネル２４は、シャッタボタン２３を搭載する上面プレート２４ａと、下面プレート２４ｂと、これらを結合する側面プレート２４ｃとからコ字型に構成されている。また、ズームキーパネル２６は、ズームキー２５を搭載する前面プレート２６ａと、図示せぬ裏面プレートと、これらを結合する側面プレート２６ｃとからコ字型に構成されている。図５（ａ）には、右利き用の取付け態様で、シャッタボタンパネル２４とズームキーパネル２６とが挟着装着されて、右利き用のデジタルカメラ２２Ａが具現化されている。また、図５（ｂ）には、左利き用の取付け態様で、シャッタボタンパネル２４とズームキーパネル２６とが挟着装着されて、左利き用のデジタルカメラ２２Ｂが具現化されている。
【００３１】
ここで、図５（ａ）、（ｂ）から明らかな通り、右利き用の取付け態様と左利き用の取付け態様とは、シャッタボタンパネル２４が互いに左右反転された関係にあると共に、ズームキーパネル２６が互いに上下反転された関係にある。
このように、この実施形態によっても、上述の第１の実施形態で述べたと略同様の効果を得ることができる。
【００３２】
以上、この発明の一実施形態を図面を参照して詳述してきたが、具体的な構成はこの実施形態に限られるものではなく、この発明の要旨を逸脱しない範囲の設計の変更等があってもこの発明に含まれる。例えば、携帯電話機は、ストレート式に限らず、折り畳み式でも良く、スライド式でも良い。上述の実施形態では、３種類のサイドキーを用いたが、これは一例であり、必要に応じて、増減できる。サイドキーの設置位置はプレートの中心線から偏移していても良い。サイドキーパネル８等を携帯電話機本体７等に取着する手段としては。第１の側面プレート８ａと、第２の側面プレート８ｂとの挟着による方法に限らず、挟着に代えて、あるいは、挟着に加えて、例えば、両面粘着材、ボルト等の締結部材、フック等の係止部材を用いて装着するようにしても良い。また、サイドキーパネル８等はコ字型形状に限定されない。
【産業上の利用可能性】
【００３３】
携帯電話機、デジタルカメラ等、広く携帯電子機器に適用できる。
【符号の説明】
【００３４】
６Ａ、６Ｂ        携帯電話機（携帯電子機器）
７、１８        携帯電子機器本体
８、１４        サイドキーパネル（機能キー／ボタン付き外装部品）
８ａ        第１の側面プレート
８ｂ        第２の側面プレート
８ｃ        上面プレート
１０、１５        ＵＰキー（機能キー／ボタン、サイドキー）
１１、１６        ＤＯＷＮキー（機能キー／ボタン、サイドキー）
１２、１７        決定キー（機能キー／ボタン、サイドキー）
１０ａ、１５ａ        ＵＰキーの接点端子（機能キー／ボタンの接点端子）
１１ａ、１６ａ        ＤＯＷＮキーの接点端子（機能キー／ボタンの接点端子）
１２ａ、１７ａ        決定キーの接点端子（機能キー／ボタンの接点端子）
１０Ｒ、１１Ｒ、１２Ｒ、１９Ｒ、２０Ｒ、２１Ｒ        右利き用の接点端子
１０Ｌ、１１Ｌ、１２Ｌ、１９Ｌ、２０Ｌ、２１Ｌ        左利き用の接点端子
２２Ａ、２２Ｂ        デジタルカメラ（携帯電子機器）
２４        シャッタボタンパネル（機能キー／ボタン付き外装部品）
２４ａ        上面プレート
２４ｂ        下面プレート
２４ｃ        側面プレート
２６        ズームキーパネル（機能キー／ボタン付き外装部品）
２６ａ        前面プレート
２６ｃ        側面プレート
２３        シャッタボタン（機能キー／ボタン）
２５        ズームキー（機能キー／ボタン）
【図１】
2010268413.tif 000003
【図２】
2010268413.tif 000004
【図３】
2010268413.tif 000005
【図４】
2010268413.tif 000006
【図５】
2010268413.tif 000007
【図６】
2010268413.tif 000008